(57)【要約】前胴部および後胴部の上端部における各胴部の非肌面側において下方に向かって開口する１又は複数の指掛用のポケットを備えた使い捨て着用物品の製造方法であって、搬送方向に連続し前胴部および後胴部となる１又は２の連続ウエブを搬送する工程と、連続ウエブにおける着用物品の縦方向の端部に相当する側縁部を折り返して折り返された第１部と折り返されていない第２部とを互いに対面させる折り返し工程と、第１部と第２部とを搬送方向に間欠的に互いに接合してポケットを形成する工程と、個々のオムツを得るために、連続ウエブを直交する方向に延びる仮想のラインに沿って切断する工程とを備える。
2013089003.tif 000002
【特許請求の範囲】
【請求項１】
着用者の胴の前部を覆い胴回り方向に延びる前胴部と、
前記着用者の胴の背部を覆い前記胴回り方向に延びる後胴部と、
前記前胴部と前記後胴部との間に配置され、前記胴回り方向に直交する縦方向に延び前記着用者の股間を覆うクロッチと、
前記前胴部及び／又は後胴部の上端部における前記各胴部の非肌面側において下方に向かって開口する１又は複数のポケットとを備えた使い捨て着用物品の製造方法であって、
搬送方向に連続し前記前胴部および後胴部となる１又は２の連続ウエブを搬送する工程と、
前記連続ウエブにおける前記着用物品の前記縦方向の前記上端部に相当する２つの側縁部の少なくとも一方を折り返して前記折り返された第１部と折り返されていない第２部とを互いに対面させる折り返し工程と、
前記第１部と前記第２部とを前記搬送方向に間欠的に互いに接合して前記１又は複数のポケットを形成する工程と、
個々のオムツを得るために、前記１又は２の連続ウエブを前記直交する方向に延びる仮想のラインに沿って切断する工程とを備える。
【請求項２】
請求項１の製造方法において、前記前胴部と前記後胴部とが互いに重なるように前記クロッチを２つに折る折り工程と、
前記折り工程と同時に又は前記折り工程の後に前記前胴部の前記胴回り方向の第１端部と前記後胴部の前記胴回り方向の第２端部とを互いに接合する工程と、
前記接合する工程よりも前において、前記第１および第２端部となる部位において前記第１部及び／又は第２部の少なくとも一部を切り欠く工程を更に備える。    
【発明の詳細な説明】
【技術分野】
【０００１】
本発明は着用中の引き上げ機能を付与した使い捨て着用物品に関するものである。
【背景技術】
【０００２】
高齢者等で、手や指が不自由な人にとってパンツ（ｐａｎｔｓ）型のオムツ（ｄｉａｐｅｒ）を自分自身で着用する場合、オムツの上端部分を摘むのが難しかったり、摘みにくいという問題がある。
そこで、従来より、オムツの上端部分に逆ポケット（ｐｏｃｋｅｔ）状の指掛部を形成したパンツ型のオムツが提案されている。（特許文献１）
【先行技術文献】
【特許文献】
【０００３】
【特許文献１】ＪＰｈ１０−３３７３００（要約）
【発明の概要】
【０００４】
しかし、この先行技術では、前記指掛部を形成するために、長尺シート（ｓｈｅｅｔ）部材をオムツの前後の身頃に付着させている。かかる長尺シート部材を別途設けることは製造コスト（ｃｏｓｔ）がアップ（ｕｐ）する要因となる。
本発明の目的は、指掛部を安価に形成し得る使い捨て着用物品の製造方法を提供することである。
【０００５】
前記目的を達成するために、本発明は着用者の胴の前部を覆い胴回り方向に延びる前胴部と、
前記着用者の胴の背部を覆い前記胴回り方向に延びる後胴部と、
前記前胴部と前記後胴部との間に配置され、前記胴回り方向に直交する縦方向に延び前記着用者の股間を覆うクロッチ（ｃｒｏｔｃｈ）と、
前記前胴部及び／又は後胴部の上端部における前記各胴部の非肌面側において下方に向かって開口する１又は複数のポケットとを備えた使い捨て着用物品の製造方法であって、
搬送方向に連続し前記前胴部および後胴部となる１又は２の連続ウエブ（ｗｅｂ）を搬送する工程と、
前記連続ウエブにおける前記着用物品の前記縦方向の前記上端部に相当する２つの側縁部の少なくとも一方を折り返して前記折り返された第１部と折り返されていない第２部とを互いに対面させる折り返し工程と、
前記第１部と前記第２部とを前記搬送方向に間欠的に互いに接合して前記１又は複数のポケットを形成する工程と、
個々のオムツを得るために、前記１又は２の連続ウエブを前記直交する方向に延びる仮想のライン（ｌｉｎｅ）に沿って切断する工程とを備える。
本発明において「肌面」とは、オムツの着用時に直接的または間接的に着用者の肌に接する内側の面を意味し、着用者の肌に直接的または間接的に対面する。したがって、「非肌面」とは、前記肌面とは反対側のオムツの着用時に着用者の肌に接しない外側の面を意味し、着用者の肌に対面しない。
【０００６】
本発明によれば、前胴部及び／又は後胴部を形成する連続ウエブの側縁部を折り返し、これを間欠的に接合して指掛部となるポケットを形成する。そのため、指掛部となる部材を別途必要としない。したがって、指掛部を安価に形成し得る。
【図面の簡単な説明】
【０００７】
【図１】図１は本発明の着用物品の製造方法の実施例１における連続ウエブの生成方法の一例を示す斜視図である。
【図２】図２は同実施例１の着用物品の製造方法を示す斜視図である。
【図３】図３Ａは同実施例１の製造方法を示す斜視図、図３Ｂは同着用物品の斜視図である。
【図４】図４は実施例２にかかる着用物品の製造方法を示す斜視図である。
【図５】図５Ａは実施例２にかかる着用物品の製造方法を示す斜視図、図５Ｂは同着用物品の斜視図である。
【図６】図６は実施例３にかかる着用物品の製造方法を示す斜視図である。
【図７】図７Ａは実施例３にかかる着用物品の製造方法を示す斜視図、図７Ｂは同着用物品の斜視図である。
【図８】図８は実施例４にかかる着用物品の製造方法を示す斜視図である。
【図９】図９Ａは実施例４にかかる着用物品の製造方法を示す斜視図、図９Ｂは同着用物品の斜視図である。
【発明を実施するための形態】
【０００８】
本発明の好的な実施例においては、前記前胴部と前記後胴部とが互いに重なるように前記クロッチを２つに折る折り工程と、
前記折り工程と同時に又は前記折り工程の後に前記前胴部の前記胴回り方向の第１端部と前記後胴部の前記胴回り方向の第２端部とを互いに接合する工程と、
前記接合する工程よりも前において、前記第１および第２端部となる部位において前記第１部及び／又は第２部の少なくとも一部を切り欠く工程を更に備える。   
【０００９】
この場合、前胴部および後胴部の前記両端部同士を互いに接合するのに先立って、前記両端部において前記第１部及び／又は第２部の少なくとも一部を予め切り欠くので、前記両端部が嵩高くなるのを防止し得る。そのため、前記両端部の接合が容易になるだろう。
【００１０】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
なお、本明細書中のカタカナ表記の一部には、その意味をより明瞭にするために英単語を（）で併記している。
【実施例】
【００１１】
実施例１
以下、本発明の実施例１が図面にしたがって説明される。
図１〜図３は実施例１を示す。
図３Ａに示すように、本実施例の着用物品は、吸収性本体（クロッチの一例）２０、前胴部３Ｆおよび後胴部３Ｂを備える。【００１２】
前記吸収性本体２０は前記前胴部３Ｆと後胴部３Ｂとの間に架設され胴回り方向Ｘに直交する縦方向Ｙに延び着用者の股間を覆う。一般に、前記吸収性本体２０は、着用者の肌面に接するトップシート（ｔｏｐ  ｓｈｅｅｔ）と前記肌面に接しないバックシート（ｂａｃｋ  ｓｈｅｅｔ）および吸収性のコア（ｃｏｒｅ）２１を備える。トップシートは液透過性の素材からなり、バックシートは液不透過性の素材からなる。前記コア２１はフラッフパルプ（ｆｌｕｆｆ  ｐｕｌｐ）や多数の吸収性の粉粒体を含んでいてもよい。かかる粉粒体は周知の吸収性の高分子ポリマー（ｐｏｌｙｍｅｒ）からなる。【００１３】
さらに、吸収性本体２０の脚回りとなる部分などには、着用物品を着用者にフィット（ｆｉｔ）させるための弾性部材が設けられていてもよい。この弾性部材としては、例えば、複数の糸ゴム（ｒｕｂｂｅｒ）や平ゴム、フィルム（ｆｉｌｍ）または熱可塑性樹脂を含む材料などを採用することができる。
なお、本発明において、弾性部材とは糸ゴムやホットメルト樹脂の他、弾性テープも含み、大きく伸長し、かつ、元の長さ又は元の長さに近い長さに収縮し得る部材をいう。【００１４】
吸収性本体２０には立体ギャザー（ｇａｔｈｅｒ）が設けられてもよい。また、吸収性本体２０には、着用者の脚部に沿って括れた脚回り部を形成してもよい。【００１５】
本実施例の場合、一対の胴部３Ｆ，３Ｂは長い帯状の胴回り部材で形成されている。前記胴回り部材は２枚の不織布（ウエブ）の間にたとえば糸ゴムのような伸縮性の弾性部材が挟まれていてもよい。この場合、胴回り部材は胴回り方向Ｘに伸縮するギャザーを形成する。【００１６】
前胴部３Ｆは着用者の胴の前部を覆い胴回り方向Ｘに延びる。後胴部３Ｂは前記着用者の胴の背部を覆い前記胴回り方向Ｘに延びる。【００１７】
図３Ｂに示すように、前記前胴部３Ｆと後胴部３Ｂとが互いに重なるように、本オムツ１０はクロッチ２０において２つに折られている。前記前胴部３Ｆの胴回り方向Ｘの第１端部３１と、前記後胴部３Ｂの胴回り方向Ｘの第２端部３２とは、互いに溶着や接着によりシールされて、前記前胴部３Ｆと後胴部３Ｂとが胴回り方向Ｘにループ（ｌｏｏｐ）状に連なる。
なお、前記両端部３１，３２においてシール（ｓｅａｌ）されるシール部３Ｅはｘｘｘで図示されている。【００１８】
前記前胴部３Ｆおよび後胴部３Ｂの上端部における非肌面側には、下方Ｙ１に向かって開口する複数のポケットＰが形成されている。前記ポケットＰは本オムツ１０の着用時に着用者がオムツ１０を上方に持ち上げたり、オムツ１０が下方にズリ下がった場合にオムツ１０を上方に引き上げるための指掛部である。この指掛部となるポケットＰは前胴部３Ｆおよび後胴部３Ｂの概ね全周にわたって間欠的に形成されている。【００１９】
前記ポケットＰは、前記各胴部３Ｆ，３Ｂの上端部が非肌面側に折り返された第１部３３と折り返されていない第２部３４とが複数の接合部分３９において前記胴回り方向Ｘに間欠的に互いに接合されて形成されている。この接合は溶着または接着のいずれであってもよい。
なお、図面において、前記第１部３３と第２部３４との接合部分３９には網点が施されている。【００２０】
前記接合部分３９は各ポケットＰ，Ｐ同士を完全に区画している必要はなく、前記第１部３３の縦方向Ｙの少なくとも一部が前記第２部３４に接合されていればよい。例えば、ポケットＰ，Ｐ同士は上端において互いに連なるポケット状の指掛部であってもよい。【００２１】
互いに重なる前記第１部３３と第２部３４とは両端部３１，３２において例えば全部切り欠かれており、該切り欠３５においては、前記前胴部３Ｆと後胴部３Ｂとは互いに接合されていない。【００２２】
つぎに、本オムツ１０の製造方法が説明される。
まず、図１に示すように、一対の不織布Ｎ，Ｎの間に例えば糸ゴムのような弾性部材Ｆを挟んで、積層された連続ウエブＷを形成する。次いで、前記連続ウエブＷを２つにスリット（ｓｌｉｔ）し、前胴部３Ｆとなる第１連続ウエブＷ１と後胴部３Ｂとなる第２連続ウエブＷ２とを形成する。
なお、図２および図３においては、本発明を理解し易くするために、前記スリットされた連続ウエブＷ１，Ｗ２を単層のシートのように図示している。【００２３】
図２に示すように、前記一対の連続ウエブＷ１，Ｗ２を搬送方向Ｘ１に搬送しながら前記連続ウエブＷ１，Ｗ２における前記オムツ１０の前記縦方向Ｙの端部に相当する側縁部Ｅを折り返す。この折り返された第１部３３と折り返されていない第２部３４とが互いに対面することで、折り返し工程が実行される。ついで、前記第１部３３と第２部３４とを前記搬送方向Ｘ１に間欠的に接合部分３９において互いに接合して前記ポケットＰを形成する。【００２４】
その後、前記一対の連続ウエブＷ１，Ｗ２上に前記縦方向Ｙに延びる吸収性本体２０を前記搬送方向Ｘ１に間欠的に次々に配置して積層体ＷＲを得る工程を実行する。この積層体ＷＲを得る工程は前記折り返し工程の前に実行されてもよい。【００２５】
その後、個々のオムツ１０を得るために、前記連続ウエブＷ１，Ｗ２を前記吸収性本体２０の間において前記縦方向Ｙに延びる仮想のラインＬに沿って切断する工程を実行する。この切断工程と同時に、或いは、切断工程の前又は後に、前記第１端部３１および第２端部３２に相当する部位において、連続ウエブＷ１，Ｗ２の一部を切り抜いて前記切り欠３５を第１および第２連続ウエブＷ１，Ｗ２に形成する。【００２６】
その後、図３Ｂに示すように、オムツ１０における前記前胴部３Ｆと前記後胴部３Ｂとが互いに重なるように、前記オムツ１０を前記吸収性本体２０において２つに折る。この後、前記重なった前記前胴部３Ｆの前記胴回り方向Ｘの第１端部３１と前記後胴部３Ｂの前記胴回り方向Ｘの第２端部３２とをシール部３Ｅにおいて互いに接合する。【００２７】
図４〜図５Ｂは実施例２を示す。
以下、本実施例２については前記実施例１と相違する構造や工程について主に説明する。【００２８】
前記実施例１は前胴部３Ｆおよび後胴部３Ｂがそれぞれ別々の胴回り部材で形成されていたが、本実施例２では、前胴部３Ｆおよび後胴部３Ｂが１つの連続ウエブＷ３で形成される。
なお、連続ウエブＷ３は単層でもよいし、あるいは、通気性を有する不織布と液不透過性の樹脂シートなどの積層体により形成されていてもよい。【００２９】
図５Ａに示すように、本実施例の場合、クロッチ２０Ｃおよび前後の胴部３Ｆ，３Ｂは１つのシート状部材Ｗ３１で連なって形成されている。クロッチ２０Ｃには、吸収性本体２０が配置されている。なお、シート状部材Ｗ３１は単層のウエブであってもよいし、不織布の積層体であってもよいし、不織布と樹脂シートの積層体であってもよい。【００３０】
両端部３１，３２の切り欠３５は第１部３３にのみ設けられている。前記両端部３１，３２において第２部３４は前胴部３Ｆと後胴部３Ｂとが互いに溶着されてシールされている。【００３１】
図４に示すように、本実施例２においては、連続ウエブＷ３を搬送しながら、連続ウエブＷ３の両側縁部Ｅ，Ｅに切り欠３５が間欠的に形成される。この実施例では切り欠３５は後に折り返す第１部３３に相当する部分のみ形成される。【００３２】
この場合、図５Ｂのように、両端部３１，３２において、前胴部３Ｆと後胴部３Ｂとを上端まで互いにシールすることができる。【００３３】
図４に示すように、本実施例では第１部３３の折り返し後、あるいは、第１部３３の折り返し前に、連続ウエブＷ３にレッグホール（ｌｅｇ  ｈｏｌｅ）Ｈが所定のピッチ（ｐｉｔｃｈ）で間欠的に形成される。このレッグホールＨの形成時に連続ウエブＷ３に前記切り欠３５を形成してもよい。また、連続ウエブＷ３から個々のオムツ１０を得るために連続ウエブＷ３をラインＬで切断する際に前記切り欠３５が形成されてもよい。【００３４】
本実施例においても吸収性本体２０は前胴部３Ｆと後胴部３Ｂとに跨って配置される。吸収性本体２０の配置はレッグホールＨや切り欠３５を形成する前などに行われてもよい。
なお、吸収性本体２０はシート状部材Ｗ３１に対し交換可能なインナーパッド（ｉｎｎｅｒ  ｐａｄ）としてもよい。【００３５】
前記実施例２のその他の工程は実施例１と同様であり、その説明を省略する。【００３６】
図６〜図７Ｂは実施例３を示す。
以下、本実施例３については前記実施例２と相違する構造や工程について説明する。【００３７】
図６に示すように、本実施例の切り欠３５は窓状であってもよい。すなわち、連続ウエブＷ３は切り欠３５の周囲を取り囲んでいてもよい。
この例の場合、連続ウエブＷ３の縁が連なっているので、折り返し工程が前記実施例２よりも容易かもしれない。【００３８】
本実施例３のその他の構造や工程は実施例２と同様であり、その説明を省略する。【００３９】
図８〜図９Ｂは実施例４を示す。
以下、本実施例４については前記実施例１と相違する構造や工程について主に説明する。【００４０】
本実施例においては、たとえば、図９Ａの前胴部３Ｆとなる図８の第１連続ウエブＷ１のみがポケットＰを形成されるために折り返される。したがって、図９Ａおよび図９Ｂに示すように前胴部３ＦにのみポケットＰが形成される。【００４１】
すなわち、図９Ａおよび図９Ｂに示すように、後胴部３Ｂとなる第２連続ウエブＷ２はポケットＰを形成するための折り返しや、間欠的な接合の工程が実行されない。
なお、後胴部３Ｂにのみポケットを設け、前胴部３Ｆにポケットを設けない構造としてもよい。【００４２】
本実施例４のその他の構造や工程は実施例１と同様であり、その説明を省略する。【００４３】
以上のとおり、図面を参照しながら好適な実施例を説明したが、当業者であれば本明細書を見て、自明な範囲で種々の変更および修正を容易に想定するであろう。
たとえば、弾性部材として糸ゴムを用いずに、連続ウエブを弾性不織布にしてもよい。
また、本着用物品はパンツではなくオムツであってもよい。
また、切り欠３５は各端部において第１部及び第２部の少なくとも一部を切り欠いて設けられればよい。
また、指掛部となるポケットは１つだけ設けられてもよい。
したがって、そのような変更および修正は、請求の範囲から定まる本発明の範囲内のものと解釈される。
【産業上の利用可能性】
【００４４】
本発明は、使い捨てオムツやパンツのような使い捨て着用物品に利用できる。
【符号の説明】
【００４５】
１０：オムツ
２０：吸収性本体  ２０Ｃ：クロッチ  ２１：コア
３Ｂ：後胴部  ３Ｆ：前胴部  ３Ｅ：シール部
３１：第１端部  ３２：第２端部  ３３：第１部  ３４：第２部
３５：切り欠  ３９：接合部
Ｅ：側縁部  Ｆ：弾性部材
Ｈ：レッグホール  Ｐ：ポケット  Ｌ：ライン
Ｎ：不織布
Ｘ：胴回り方向  Ｘ１：搬送方向
Ｙ：縦方向  Ｙ１：下方
Ｗ：連続ウエブ  Ｗ１：第１連続ウエブ  Ｗ２：第２連続ウエブ  Ｗ３：連続ウエブ
Ｗ３１：シート状部材  ＷＲ：積層体
【図１】
2013089003.tif 000003
【図２】
2013089003.tif 000004
【図３】
2013089003.tif 000005
【図４】
2013089003.tif 000006
【図５】
2013089003.tif 000007
【図６】
2013089003.tif 000008
【図７】
2013089003.tif 000009
【図８】
2013089003.tif 000010
【図９】
2013089003.tif 000011
【国際調査報告】
2013089003.tif 000012
2013089003.tif 000013
2013089003.tif 000014
2013089003.tif 000015